(57)【要約】 【課題】  雌端子金具の弾性接触片における折り返し部の浮き上がりを防止する。【解決手段】  雌端子金具１の本体部２には、底面部３の前縁３Ｃからの折り返しによって形成された弾性接触片４が設置されており、雄タブ８が挿入されると、弾性接触片４とこれに対向する上面部７との間で弾性的に挟み込む構造となっている。また、本体部２の側面部９に、折り返し部４Ａと係止可能な浮き上がり防止片部１０が設けてあり、弾性接触片４における折り返し部４Ａの浮き上がりを規制し、接圧の低下を回避することができる。【選択図】  図４
2006120370.tif 000002
【特許請求の範囲】
【請求項１】
箱形の本体部と、その本体部の底面部前縁から前方に突き出たＵ字形の折り返し部と折り返し部より後方に延出されたバネ部とからなる弾性接触片を設け、前記弾性接触片の上面部との間で雄タブを挟み込む構造を有した雌端子金具において、
前記折り返し部もしくは前記折り返し部を挟む本体部の側面部のうちいずれか一方に設置された浮き上がり防止片部が、他方と係止するように設けることで前記折り返し部の浮き上がりを規制可能にすることを特徴とする雌端子金具。
【請求項２】
前記浮き上がり防止片部は、前記本体部における前記側面部の前端部から内向きに切り起こし、前記折り返し部に係止可能に形成されていることを特徴とする請求項１に記載の雌端子金具。
【請求項３】
前記側面部における前記折り返し部と対向する部分には切り欠き部が設けられる一方、前記浮き上がり防止片部は前記折り返し部の側縁部において前記切り欠き部に係止可能に張り出し形成されていることを特徴とする請求項１に記載の雌端子金具。
【請求項４】
前記浮き上がり防止片部は、幅方向に一対設けられていることを特徴とする請求項１ないし請求項３のいずれかに記載の雌端子金具。
【発明の詳細な説明】
【技術分野】
【０００１】
本発明は、角筒部内に雄タブに弾性的に接触する弾性接触片を設けた雌端子金具に関し、その弾性接触片が折り返し部における撓み規制機能を備えた雌端子金具に関する。
【背景技術】
【０００２】
従来、この種の雌端子金具として、下記特許文献１に記載したものが知られている。
【０００３】
この雌端子金具は箱形の本体部を有し、この本体部は本体部の底面部から一対の側面部が対向状態となるように折り曲げ形成され、側面部の少なくとも一方の上端側から底面部の上方に折曲された上面部とを有し、その底面部の前縁部においてＵ字形の折り返しを行って弾性接触片を側面部間に曲げ込むように形成されており、Ｕ字形の折り返し部先端が、底面部の前縁部より前方に突き出た形状をしている。
【特許文献１】特開２００１−６７８４公報
【発明の開示】
【発明が解決しようとする課題】
【０００４】
しかしながら、近年、ユーザーから部品の小型化への要求が強く、板厚の薄い金属平板を打ち抜き加工する等する関係で、本体強度の低下に伴う新たな問題が発生している。すなわち、雄タブの進入によって、弾性接触片が撓み変形する際に、弾性接触片の接点部が下方へ変位することに加え、本来予定していない弾性接触片の折り返し部の浮き上がりが生じるということが指摘されるようになった。このような弾性接触片の浮き上がりは、接点部を下方へ変位させる方向へ作用するため雄タブに対する接圧を低下させる不具合を生む。
【０００５】
本発明は上記のような事情に基づいて完成されたものであって、雌端子金具の弾性接触片における折り返し部の浮き上がりを防止することを目的とする。
【課題を解決するための手段】
【０００６】
上記の目的を達成するための手段として、請求項１の発明は、箱形の本体部と、その本体部の底面部前縁から前方に突き出たＵ字形の折り返し部と折り返し部より後方に延出されたバネ部とからなる弾性接触片を設け、前記弾性接触片の上面部との間で雄タブを挟み込む構造を有した雌端子金具において、
前記折り返し部もしくは前記折り返し部を挟む本体部の側面部のうちいずれか一方に設置された浮き上がり防止片部が、他方と係止するように設けることで前記折り返し部の浮き上がりを規制可能にすることを特徴とする。
【０００７】
請求項２の発明は、請求項１に記載のものにおいて、前記浮き上がり防止片部は、前記本体部における前記側面部の前端部から内向きに切り起こし、前記折り返し部に係止可能に形成されていることを特徴とする。
【０００８】
請求項３の発明は、請求項１に記載のものにおいて、前記側面部における前記折り返し部と対向する部分には切り欠き部が設けられる一方、前記浮き上がり防止片部は前記折り返し部の側縁部において前記切り欠き部に係止可能に張り出し形成されていることを特徴とする。
【０００９】
請求項４の発明は、請求項１ないし請求項３のいずれかに記載のものにおいて、前記浮き上がり防止片部は、幅方向に一対設けられていることを特徴とする。
【発明の効果】
【００１０】
＜請求項１〜３の発明＞
請求項１〜３の発明によると、弾性接触片の折り返し部において浮き上がりが生じる場合に、折り返し部もしくは側面部のいずれか一方に浮き上がり防止片部を設けることにより、浮き上がりを規制可能にすることができる。その結果、浮き上がりに起因する接点部の下方への変位がなくなり、雄タブに対する接圧を保持することが可能となる。
【００１１】
＜請求項４の発明＞
折り返し部が浮き上がるのを防止する際に、折り返し部もしくは側面部のうちいずれか一方の片側に浮き上がり防止片部を設置すると、設置されていない側が浮き上がるが、請求項４のように幅方向の両側に浮き上がり防止片部を設けることにより、弾性接触片の捻れを規制して、安定して挿入することができる。
【発明を実施するための最良の形態】
【００１２】
＜実施形態１＞
本発明の実施形態１を図１ないし図８によって説明する。尚、以下の説明において、上下方向とは、図１における上下方向とし、幅方向とは、図１における左右方向とし、前後方向については、図１における紙面と直交する方向とし、紙面手前を前方向とする。
【００１３】
本実施形態における雌端子金具１は、所定の展開形状の金属平板を曲げ加工して成形されたものであって、電線Ｗ（図示しない）の被覆部を圧着するインシュレーションバレル部１３と、その被覆部から剥き出された芯線（図示しない）を圧着するワイヤバレル部１４と、その前方に設けられた本体部２とからなっている。
【００１４】
本体部２は、図１に示すように、底面部３から一対の側面部９が対向状態となるように折り曲げされ、さらに両側面部９を折り重ねるようにして形成された上面部７とを有し、全体として前後に開放された角筒形状をなし、本体部２前端のタブ挿入口１１を通じて雄タブ８が挿入されるようになっている。
【００１５】
本体部２内部には、底面部３の前縁３Ｃから略Ｕ字形状に折り返された折り返し部４Ａと折り返し部４Ａから後方に延出された略山形のバネ部４Ｂとからなる弾性接触片４が設置されており、バネ部４Ｂの頂点部分にはドーム型の接点５が形成されている。本体部２の上面部７には、外面側から叩き出されることにより形成された前後方向に長い２列の接触突部７Ａが並設されており、接点５との間で雄タブ８を弾性的に挟み込むようにされている。
【００１６】
また、本体部２は雌コネクタハウジング（図示しない）のキャビティ（図示しない）に挿入する際、あらかじめキャビティ内に設けられた２本の溝に適合するようにして設けられたスタビライザ６が、底面部の幅方向両側縁に切り起こし状に垂下形成されており、キャビティ内への逆挿防止を可能としている。なお、雌端子金具１において、上面部７後方の角部は、キャビティ内に設けられたランスが係止するよう係止部１５となって、雌端子金具１の抜け止め防止機能を果たす。
【００１７】
一方、本体部２の底面部３において、スタビライザ６の後方には、前後方向に長い２本の平行なスリットが設けられている。スリットに挟まれた領域を外面側から叩き出すことで段差部３Ａが形成されており、雄タブ８が挿入されると、弾性接触片４の延出端において、くの字に折り返された跳ね上げ部５Ａが段差部３Ａに当接し、その後３Ａ上を摺接するようにしてある。また、折り返し部４Ａとスタビライザ６との間にも、上記と同様のスリットを設けられており、同様に、スリットに挟まれた領域を外面側から押し伸ばすことにより、側面から見て略山形の過度撓み防止片部３Ｂが形成されている。過度撓み防止片部３Ｂの頂点部は、弾性接触片４の接点５の下方に位置するようにしてあり、接点５の下面が過度撓み防止片部３Ｂの頂点部に当接可能とすることによって、弾性接触片４が弾性限度内で撓み可能となるようにされている。
【００１８】
弾性接触片４の折り返し部４Ａの幅方向両側は、底面部から側面部にかけて切り欠かれている。このことにより、折り返し部４Ａは底面部の前縁３Ｃから前方へ片持ち状に延出し、浮き上がり方向への撓みが許容された構造となる。但し、折り返し部の前端位置は側面部の前縁の位置よりも内方へやや引っ込んで位置するようにしてあり、雌端子金具１をキャビティに挿入したときに、キャビティ内の前端壁に直接、折り返し部４Ａが当接しないようにされている。
【００１９】
折り返し部４Ａの内面側には、一対の浮き上がり防止片部１０の先端部が位置している。浮き上がり防止片部１０は、上記した側面部９において切り欠いた部分の上下方向における側縁部を内向きに切り曲げることによって形成されている。詳細には、図４に示すＬで示した領域（底面部３の前縁３Ｃから折り返し部４Ａの始端に至るまでの長さ領域）に対応する幅寸法をもって形成されている。浮き上がり防止片部１０は、雌端子金具１の単体時において、浮き上がり防止片部１０の下面と折り返し部４Ａにおける上記Ｌで示される領域の内面とが近接もしくは当接するように高さ調整がされ、折り返し部４Ａの浮き上がりを規制可能である。
【００２０】
本実施形態は上記のような構造であって、続いてその作用を説明する。雄タブ８が、本体部２の先端のタブ挿入口１１から接触突部７Ａと平行を保ちながら正規な姿勢で進入した場合、雄タブ８はその挿入過程で弾性接触片４の接点５に当たり、折り返し部４Ａを中心として下方へ撓み変形する。その後、弾性接触片４の延出端が段差部３Ａに当接すると、弾性接触片４は折り返し部４Ａと跳ね上げ部５Ａの２箇所を支点として撓み変形する。その後、雄タブ８の挿入の進行に伴って接点５を通過しつつ弾性接触片４をさらに下方に押圧すると、延出端が段差部３Ａ上を摺接するため、弾性接触片４が、弾性限度内で下方に撓み、雄タブ８が接点５と接触突部７Ａとの間で弾力的に挟まれた状態となって、電気的に導通可能な接続状況を保持する接圧を得ることができる。
【００２１】
一方、例えばアライメント不良等によって、雄タブ８が斜め下向きの姿勢で進入して弾性接触片４に当たると、弾性接触片４に対して後方へ押し込む方向の力となって作用する。すると、折り返し部４Ａの先端が浮き上がり、接点５周辺部を下方へ変位させようとする。このことは、雄タブ８に対する接圧を低下させることを意味する。しかし、折り返し部４Ａが浮き上がろうとした場合は、あらかじめ折り返し部４Ａの内面側に設けられた浮き上がり防止片部１０によって係止され、その浮き上がりが防止されるため、雄タブ８が接点５と接触突部７Ａとの間で正規に挟まれた状態となって、十分な接圧を得ることができる。
【００２２】
以上のように、本実施形態では、折り返し部４Ａと係止可能な防止片部１０を設置することで、折り返し部４Ａの浮き上がりによる接点５の下方変位を回避し、雄タブに対する十分な接圧を保持することができる。さらに、前述したように、折り返し部４Ａの浮き上がりは雌端子金具の薄肉化にも起因するものであったことを考えれば、浮き上がり回避の課題が実現されることにより、雌端子金具の小型化にも寄与する。
【００２３】
＜実施形態２＞
次に、本発明の実施形態２を図９ないし図１２によって説明する。本実施形態は、実施形態１における雌端子金具１の浮き上がり防止片部１０の構造が一部変更されたものであり、その他の重複する構造については説明を省略する。
【００２４】
実施形態２では、両側面部９の前縁下端部に切り欠き部１６が設けられる一方、浮き上がり防止片部１０は折り返し部４Ａの両側縁部から一体に張り出し形成され、切り欠き部１６の上縁に係止可能としてある。張り出し部分の先端は、図９に示すように、上側に略４５度持ち上げられており、端縁部１２が切り欠き部１６上縁に係止するようにしている。この構造によると、浮き上がり防止片部１０が切り欠き部１６に係止したときの変形を抑制可能である。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２６】
（１）実施形態１においては、浮き上がり防止片部１０はその下面で折り返し部４Ａに対する係止を行うようにしていたが、係止時に浮き上がり防止片部１０の変形が懸念されるような場合には、浮き上がり防止片部１０の曲げ方向を変更することで、折り返し部４Ａに対し、下面でなく側縁でもって係止するようにしてもよい。
【００２７】
（２）実施形態２における切り欠き部１６は前方および下方へ開放する形態のものであったが、このような形態に限らず、開口縁が閉じた窓形状のものであってもよい。
【図面の簡単な説明】
【００２８】
【図１】実施形態１における雌端子金具の正面図
【図２】雌端子金具の側面図
【図３】雌端子金具の底面図
【図４】図１のIV−IV線断面図
【図５】図４のV−V線断面図
【図６】図４のVI−VI線断面図
【図７】雄タブの先端が接点付近まで挿入された状態の縦断面図
【図８】雄タブが正規深さまで挿入された状態の縦断面図
【図９】実施形態２における雌端子金具の正面図
【図１０】図９のX−X線断面図
【図１１】図１０のXI−XI線断面図
【図１２】図１０のXII−XII線断面図
【符号の説明】
【００２９】
１…雌端子金具
２…本体部
３…底面部
４Ａ…折り返し部
４Ｂ…バネ部
４…弾性接触片
７…上面部
８…雄タブ
９…側面部
１０…浮き上がり防止片部
１６…切り欠き部
【図１】
2006120370.tif 000003
【図２】
2006120370.tif 000004
【図３】
2006120370.tif 000005
【図４】
2006120370.tif 000006
【図５】
2006120370.tif 000007
【図６】
2006120370.tif 000008
【図７】
2006120370.tif 000009
【図８】
2006120370.tif 000010
【図９】
2006120370.tif 000011
【図１０】
2006120370.tif 000012
【図１１】
2006120370.tif 000013
【図１２】
2006120370.tif 000014